(57)【要約】【課題】本発明は、空気の流通路に存在する接点部分の汚れを防止して、接点不良の原因を未然に防ぐことができる空気清浄ユニットおよび空気調和機の室内機を提供する。【解決手段】放電高圧電極３１を有する高圧側電極部４１と、集塵側アース電極３４を有するアース側電極部４２を備え長手方向に沿って連接される複数の電気集塵機２２と、一方の電気集塵機の一側部に並設される電源部２３を電気的に直列接続し、高圧側電極部に接続する高圧電極用接続端子５０およびアース側電極部に接続するアース電極用接続端子５２を各電気集塵機の両側部に形成し、アース電極用接続端子は先端に弾性的に押圧付勢された端子部ａを備え、電源部と隣接する電気集塵機の一側部の高圧電極用接続端子およびアース電極用接続端子を電源部と電気的に接続し、双方の電気集塵機間に介在する中継ユニット６２を介して対向する高圧電極用接続端子を中継端子部６６，６７を介して接続し、アース電極用接続端子先端の端子部同士は直接連結する。【選択図】      図６
2007167799.tif 000002
【特許請求の範囲】
【請求項１】
放電高圧電極を有する高圧側電極部と、集塵側アース電極を有するアース側電極部を備え長手方向に沿って連接される複数の電気集塵機と、一方の電気集塵機の一側部に並設され、各電気集塵機に電源を供給する電源部とから構成し、これら複数の電気集塵機と電源部を電気的に直列接続する空気清浄ユニットにおいて、
上記電気集塵機は、上記高圧側電極部に接続する高圧電極用接続端子および、上記アース側電極部に接続するアース電極用接続端子を各電気集塵機の両側部に形成し、かつ上記電気集塵機の両側部に形成する上記アース電極用接続端子は、両側部から側方に突出して先端に弾性的に押圧付勢された端子部を備えてなり、
電源部と隣接する一方の電気集塵機の一側部に形成する上記高圧電極用接続端子およびアース電極用接続端子を上記電源部と電気的に接続し、
双方の電気集塵機同士の接続を、上記電気集塵機相互間に介在する中継ユニットを介して各電気集塵機の対向する側部に形成する上記高圧電極用接続端子を電気的に接続する中継端子部を介して接続するとともに、アース電極用接続端子先端の端子部同士を直接連結するように構成したことを特徴とする空気清浄ユニット。
【請求項２】
本体内部に熱交換器および送風機を収納し、上記熱交換器と対向する本体部位に空気吸込み口を設け、この空気吸込み口と上記熱交換器との間に複数の電気集塵機と電源部とからなる空気清浄ユニットを介設した空気調和機の室内機において、
上記本体内の熱交換器の前面側に、左右および上下に枠部を備えるとともに、これら枠部間を通風開口とした枠体組立を備え、
上記枠体組立は、
一方の電気集塵機一側部と上記電源部とを係止し、この電気集塵機と電源部とを電源接続する電源用係止枠部と、
他方の電気集塵機の他側部を係止する係止枠部と、
左右の電気集塵機相互間に設けられ、これら電気集塵機側部を係止するとともに、互いの電気集塵機を電気的に接続する中継枠部とを具備し、
上記各枠部相互間に形成される通風開口に上記電気集塵機を対向して配置したことを特徴とする空気調和機の室内機。
【発明の詳細な説明】
【技術分野】
【０００１】
本発明は、複数の電気集塵機と電源部とからなる空気清浄ユニットと、この空気清浄ユニットを備えた空気調和機の室内機に関する。
【背景技術】
【０００２】
屋外では当然であるが、密閉された室内においても浮遊する物質が多い。室内における浮遊物質は主に浮遊塵埃であって、通常の状態では人体に対して無害とされている。ただし、たとえば体力が極端に低下したときに浮遊塵埃を吸込むと、人によっては何らかの影響が及ぶことが知られている。したがって、室内における浮遊塵埃の量は、より少ないことが望ましい。  
そこで、たとえば空気調和機を構成する室内機に、熱交換器とともに空気清浄装置が組み込まれるようになった。すなわち室内機では、室内空気とともに室内に浮遊する浮遊塵埃を吸込み、上記熱交換器が室内空気と冷媒とを熱交換する作用をなす前に、空気清浄装置が浮遊塵埃を集塵する。
【０００３】
空気清浄装置の一例が［特許文献１］に開示されている。これは、フィルタ内部に電位差を与えるための一対の電極を有する複数の空気清浄フィルタ（以下、「電気集塵機」と呼ぶ）を左右に並置した状態でフィルタ枠に保持している。一方の電気集塵機の側方部位もしくは隣接して高圧電源が配置され、一対の電源接続端子を介して互いに電気的に接続される。
【特許文献１】特許第３１０４０９４号公報
【発明の開示】
【発明が解決しようとする課題】
【０００４】
ところで、上述の［特許文献１］の技術では、フィルタ枠の中央桟部に接続端子が取付けられている。そして、この左右に配置される電気集塵機の側部に設けられる高圧側電極接点（高電位側引出端子）および低圧側電極接点（低電位側引出端子）が上記接続端子に接続するようになっている。  
［特許文献１］では詳細な説明がないが、上記電気集塵機が空調機に取付けられる以上、室内空気が電気集塵機を流通してから熱交換器に導かれることは言うまでもない。吸込まれる空気には細かな塵埃、煙、油等が含まれていて、電気集塵機はこれらを捕捉して清浄化する。  
しかしながら、塵挨等を含んだ室内空気は電気集塵機を流通するばかりでなく、電気集塵機の周辺部にも導かれ、ここで一旦衝突してから電気集塵機を流通することとなる。上述したように、電気集塵機相互間にはフィルタ枠が介在しており、ここにも塵挨などを含んだ室内空気は導かれて一旦衝突する。
【０００５】
空調機を長期間使用すると、細かな塵挨等が電気集塵機ばかりでなくフィルタ枠および、このフィルタ枠に取付けられる接続端子にも付着する。電気集塵機はユーザー側のメンテナンスを可能とするために、本体に対して着脱自在であり、電気集塵機を取外せばここに付着する塵挨等は比較的容易に除去できる。  
しかしながら、本体を構成するフィルタ枠は取外すことができないし、接続端子も同様である。しかも、本体が壁の高所に取付けられるので、フィルタ枠を掃除し接続端子の接点部に付着する塵挨等を除去する作業が困難であり、そのまま放置される。長期の使用に亘るとフィルタ枠の接点部に堆積した塵挨等が原因で接触不良を生じ、漏電等の発生要因となる。
【０００６】
本発明は上記事情にもとづきなされたものであり、その目的とするところは、空気の流通路に存在する接点部分の汚れを防止して、接点不良の原因を未然に防ぐことができる空気清浄ユニットおよび空気調和機の室内機を提供しようとするものである。
【課題を解決するための手段】
【０００７】
上記目的を満足するため本発明の空気清浄ユニットは、放電高圧電極を有する高圧側電極部と、集塵側アース電極を有するアース側電極部を備え長手方向に沿って連接される複数の電気集塵機と、一方の電気集塵機の一側部に並設され、各電気集塵機に電源を供給する電源部とから構成し、これら複数の電気集塵機と電源部を電気的に直列接続し、
上記電気集塵機は、高圧側電極部に接続する高圧電極用接続端子およびアース側電極部に接続するアース電極用接続端子を各電気集塵機の両側部に形成し、電気集塵機の両側部に形成するアース電極用接続端子は両側部から側方に突出して先端に弾性的に押圧付勢された端子部を備えてなり、
電源部と隣接する一方の電気集塵機の一側部に形成する高圧電極用接続端子およびアース電極用接続端子を電源部と電気的に接続し、双方の電気集塵機同士の接続を電気集塵機相互間に介在する中継ユニットを介して各電気集塵機の対向する側部に形成する高圧電極用接続端子を電気的に接続する中継端子部を介して接続するとともに、アース電極用接続端子先端の端子部同士を直接連結するように構成した。
【０００８】
上記目的を満足するため本発明の空気調和機の室内機は、本体内部に熱交換器および送風機を収納し、熱交換器と対向する本体部位に空気吸込み口を設け、この空気吸込み口と上記熱交換器との間に複数の電気集塵機と電源部とからなる空気清浄ユニットを介設し、本体内の熱交換器の前面側に、左右および上下に枠部を備えるとともにこれら枠部間を通風開口とした枠体組立を備え、
上記枠体組立は、一方の電気集塵機一側部と上記電源部とを係止し、この電気集塵機と電源部とを電源接続する電源用係止枠部と、他方の電気集塵機の他側部を係止する係止枠部と、左右の電気集塵機相互間に設けられ電気集塵機側部を係止するとともに、互いの電気集塵機を電気的に接続する中継枠部とを備え、各枠部相互間に形成される通風開口に電気集塵機を対向して配置した。
【発明の効果】
【０００９】
本発明によれば、空気の流通路に存在する接点部分の汚れを防止して、接点不良の原因を未然に防ぐことができる効果を奏する。
【発明を実施するための最良の形態】
【００１０】
以下、本発明の実施の形態を、図面にもとづいて説明する。  
図１は空気調和機の室内機に係る概略の側断面図、図２は前面パネル２を外した状態での室内機本体１の正面図である。（なお、説明中に符号を付していない部品は図示していない。以下同じ）  
室内機本体１は、この室内機本体１の前側筐体である前面パネル２と、後板筐体３とから構成されていて、上下方向に対して幅方向に横長状をなす。室内機本体１の前面側一部に前面吸込み口４が開口され、前面吸込み口４に対向する前面パネル２には開閉駆動機構に支持される可動パネル２Ａが嵌め込まれている。
【００１１】
運転停止の状態では、上記可動パネル２Ａは前面パネル２表面に接合して同一面となり前面吸込み口４を閉成するが、運転時には手前側に突出変位して周囲に室内と連通する隙間を生じさせ、前面吸込み口４が室内に開放するよう制御される。室内機本体１の上部には上面吸込み口５が設けられる。この上面吸込み口５には枠状の桟が嵌め込まれていて、上記桟によって複数の空間部に仕切られている。
【００１２】
上記室内機本体１の前面下部に吹出し口６が開口され、この吹出し口６には２枚の吹出しルーバー７ａ，７ｂが並行して設けられる。各吹出しルーバー７ａ，７ｂは、それぞれの回動姿勢によって上記吹出し口６を開閉し、かつ運転条件に応じて熱交換空気の吹出し方向を設定できるようになっている。  
室内機本体１内には、前側熱交換器部８Ａと後側熱交換器部８Ｂとで略逆Ｖ字状に形成される熱交換器８が配置されるとともに、この熱交換器８の一側部に電気部品箱９が並設される。上記前側熱交換器部８Ａは、前面パネル２と間隙を存してほぼ平行な湾曲状に形成されて前面吸込み口４と上面吸込み口５と対向し、後側熱交換器部８Ｂは直状に形成されて上面吸込み口５と斜めに傾斜して対向している。
【００１３】
上記熱交換器８の前後側熱交換器部８Ａ，８Ｂ相互間に室内送風機１０が配置される。上記室内送風機１０は、室内機本体１の一側端のスペースに配置されたファンモータと、このファンモータの回転軸に一方の支軸が機械的に連結される横流ファンとから構成される。上記横流ファンの先端部を支持する軸受部と隣接した位置であり、室内機本体１の他側端のスペースには、図２のみ示す吸排気装置１１が設けられる。
【００１４】
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、それぞれの熱交換器部８Ａ，８Ｂから滴下するドレン水を受け、図示しない排水ホースを介して外部に排水できるようになっている。  
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。隔壁部材１４で囲まれる空間が、ノーズと吹出し口９とを連通する吹出し通風路１５となっている。
【００１５】
一方、上記前面パネル２と熱交換器８の前面側から上面側との間に亘って枠体組立１６が介在され、この枠体組立１６は取付け具を介して前面パネル２に取付けられる。枠体組立１６の前面部には、前面側に配置される左右に二分割された前部エアフィルタ１７，１７と、この奥側に配置される二次エアフィルタであるところの空気清浄ユニット１８が前後して取付けられる。  
上記枠体組立１６の上面には左右に二分割された上部エアフィルタ２０，２０が取付けられる。さらに、各前部エアフィルタ１７の上端と各上部エアフィルタ２０の前端との間に亘って、エアフィルタ清掃ユニットＳが取付けられる。  
なお説明すると、前部エアフィルタ１７と空気清浄ユニット１８は、前面吸込み口４と熱交換器８を構成する前側熱交換器部８Ａとの間に介設される。上部エアフィルタ２０は、上面吸込み口５と前側熱交換器部８Ａ一部および後側熱交換器部８Ｂとの間に介設される。したがって、上記エアフィルタ清掃ユニットＳは、前面吸込み口４と上面吸込み口５との間の部位と対向して配置される。
【００１６】
上記エアフィルタ清掃ユニットＳは、前部エアフィルタ１７および上部エアフィルタ２０の幅方向長さと同一の幅方向長さに形成され、前後方向にある程度の厚み寸法を有している。エアフィルタ清掃ユニットＳの配置位置は、前面パネル２における前面部と上面部とが交差する、いわゆる角部内のスペースであり、前面パネル２と熱交換器８との間に必然的に形成されるデッドスペースである。
【００１７】
したがって、従来構成の室内機本体における前面パネルに対して、前部エアフィルタ１７、空気清浄ユニット１８、上部エアフィルタ２０および、エアフィルタ清掃ユニットＳを取付けた枠体組立１６を、そのままの状態で組付けられる。換言すれば、既存の室内機本体に枠体組立１６を装着することで、上記エアフィルタ清掃ユニットＳを備えた空気調和機を構成でき、室内機本体１の共通化が可能となる。
【００１８】
既存の室内機本体１に備えられるエアフィルタは、前面吸込み口４とともに上面吸込み口５と対向すべく１枚のものからなっているが、ここでは前部エアフィルタ１７と上部エアフィルタ２０とに二分割されている。  
それぞれの前部エアフィルタ１７および上部エアフィルタ２０ともに、上記熱交換器８の幅方向の中間部を境に、左右に二分割されていて、合計４枚のエアフィルタから構成される。なお、前部エアフィルタ１７と上部エアフィルタ２０の縦方向の寸法は、通常前部フィルタの方が若干大きめである。
【００１９】
上記空気清浄ユニット１８は、並設される左右一対の電気集塵機２２と、一方（図２の右側）の電気集塵機２２の側部に配置される集塵機電源部２３とから構成される。互いの電気集塵機２２の外形は全く同一の寸法形状に設計され、電極表面には、空気に含まれる臭いの成分を吸着する脱臭剤が塗布され、電気集塵機２２として集塵機能と脱臭機能を併せ有する。
【００２０】
図３は、電気集塵機２２の主要部を分解して示す斜視図である。
【００２１】
電気集塵機２２は、図の上部から下部に亘って、ワイヤガード３０と、イオン化線である放電高圧電極３１と、アッパーフレーム３２と、荷電側アース電極３３および集塵側アース電極３４の連結体であるアース電極部３５と、集塵高圧電極３６と、給電部材３７と、ロアーフレーム３８を示している。
【００２２】
上記ワイヤガード３０と、アッパーフレーム３２およびロアーフレーム３８を後述するように組立てることで、ケース本体４０が構成される。上記放電高圧電極３１と荷電側アース電極３３とで高圧側電極部４１が構成され、集塵側アース電極３４と給電部材３７を取付けた集塵高圧電極３６とでアース側電極部４２が構成される。これら高圧側電極部４１およびアース側電極部４２は上記ケース本体４０内に収容される。
【００２３】
上記放電高圧電極３１は、極く細径の、たとえばタングステンなどの金属線を蛇行形状で所定間隔を存し並行に屈曲加工される。上記荷電側アース電極３３は、電極面が互いに対向するように所定間隔で並べられる複数の電極板からなる。上記集塵側アース電極３４は、同一の間隔で並べられる複数の電極板からなり、荷電側アース電極３３と互いに一体化される。上記集塵高圧電極３６は、同一の間隔で並べられる複数の電極板からなる。
【００２４】
放電高圧電極３１はアッパーフレーム３２に取付け支持され、荷電側アース電極３３と集塵側アース電極３４の連結体であるアース電極部３５および集塵高圧電極３６はロアーフレーム３８に取付け支持される。そして、放電高圧電極３１を支持したアッパーフレーム３２と、荷電側アース電極３３と集塵高圧電極３６との連結体であるアース電極部３５および集塵高圧電極３６を取付け支持したロアーフレーム３８とを組合せたうえに、アッパーフレーム３２に上記ワイヤガード３０を取付けて電気集塵機２２が組立てられる。
【００２５】
ケース本体４０は、気流を案内する通風路を備えていて、この通風路の流入口４４はワイヤガード３０に形成され、流出口４５はロアーフレーム３８に形成される。したがって、ワイヤガード３０の流入口４４から導入される気流は、高圧側電極部４１を構成する放電高圧電極３１と荷電側アース電極３３との間隙を通過し、さらにアース側電極部４２を構成する集塵側アース電極３４と集塵高圧電極３６との間隙を通過して、ロアーフレーム３８の流出口４５から流出案内されるようになっている。
【００２６】
換言すれば、放電高圧電極３１と荷電側アース電極３３とからなる高圧側電極部４１が電気集塵機２２に導かれる気流の上流側に位置し、集塵側アース電極３４と集塵高圧電極３６とからなる集塵高圧電極部４２が気流の後流側に位置することになる。
【００２７】
図４は組立てられた電気集塵機２２から上記ワイヤガード３０を取外した状態での電気集塵機２２の正面図、図５は組立てられた電気集塵機２２の正面図である。  
上記放電高圧電極３１は幅（横）方向に亘って設けられ、幅方向とは直交する（縦）方向に所定間隔を存するよう折り返し形状をなす。この放電高圧電極３１は幅方向の左右両端上部において、前面に対向して設けられる矩形状の板片からなる高圧電極用接続端子５０と電気的に接続される。
【００２８】
上記集塵高圧電極３６は上下端辺に沿って所定幅の電極部を有するとともに、これら上下の電極部を連結し、かつ幅方向に沿って狭小の間隙を存して並行に設けられる電極板からなる。この集塵高圧電極３６は、左右の上記高圧電極用接続端子５０の近傍で、かつ左右両側上端の前面から奥側へ折曲される集塵高圧電極用接続端子５１に電気的に接続される。
【００２９】
高圧電極用接続端子５０および集塵高圧電極用接続端子５１ともに、図４に示すワイヤガード３０を取外した状態で露出するとともに、図５に示すワイヤガード３０を取付けて電気集塵機２２として組立てられた状態でも、左右両側部の上面側と前端側に露出している。
【００３０】
一方、上記荷電側アース電極３３は、幅方向の中央部で左右に仕切る仕切り部を備え、幅方向とは直交する方向に所定間隔を存して、幅方向に亘って設けられる電極板からなる。また、上記集塵側アース電極３４は幅方向と直交する方向に、上記集塵高圧電極３６と交互に設けられるとともに、上記荷電側アース電極３３との交差部分で電気的に接続される。
【００３１】
そして、上記荷電側アース電極３３の左右両側部で下部側にアース電極用接続端子５２が一体に突設されていて、荷電側アース電極３３を介して上記集塵側アース電極３４と電気的に接続されている。
【００３２】
上記アース電極用接続端子５２はロアーフレーム３８に一体に設けられる筒部内に収容されていて、荷電側アース電極３３と接続する端部から中間部がコイルばね状に形成され、筒部先端から突出する先端端子部ａを弾性的に押圧付勢している。
【００３３】
また、上記荷電側アース電極３３の左右両側部で、上記アース電極用接続端子５２とは所定間隔を存した下端部にアース用端子５３が設けられていて、荷電側アース電極３３を介して上記アース電極用接続端子５２および集塵側アース電極３４と電気的に接続される。
【００３４】
図５に示すように、ワイヤガード３０を取付けた状態でアース電極用接続端子５２の先端端子部ａとその近傍部位が、電気集塵機２２の両側部から側方へ突出している。アース用端子５３はワイヤガード３０によって遮蔽される。そして、アース用端子５３の取付け部位と対向するワイヤガード３０の両側部下端には、杆状の支持突起５４が側方へ一体に突設される。上記支持突起５４はアース電極用接続端子５２の下部側に、この接続端子５２と略並行に突出している。
【００３５】
図６は前面側の前部エアフィルタ１７を取外して空気清浄ユニット１８を露出させ、上面側に上部エアフィルタ２０、前面と上面との角部にエアフィルタ清掃ユニットＳを取付けた状態の枠体組立１６の斜視図である。  
上記枠体組立１６は、上面側の枠部において上部エアフィルタ２０の左右側辺を収納可能となるよう断面コ字状に対向して形成され、さらに前部エアフィルタ１７が前面から上面に移動してくることで、この前部エアフィルタ１７も収納可能となっている。そして、上記枠体組立１６の前面側の枠部において前部エアフィルタ１７の左右側辺を収納可能となるよう断面コ字状に対向して形成され、さらに上部エアフィルタ２０が上面から前面に移動してくることで、この上部エアフィルタ２０も収納可能となっている。
【００３６】
上記枠体組立１６の前面側において、前部エアフィルタ１７とともに上部エアフィルタ２０の収納部の奥側には、２次エアフィルタを構成する空気清浄ユニット１８を配置するための空気清浄ユニット収納部６０が構成される。
【００３７】
すなわち、空気清浄ユニット１８を枠体組立１６の空気清浄ユニット収納部６０に取付けることで、別個の空気清浄ユニット専用の取付け枠を熱交換器８前面に設ける必要がなく、エアコンの製造性を向上できる。また、前部エアフィルタ１７は、室内機本体１の前面側に取付けられる前面パネル２と空気清浄ユニット１８との間の移動空間に配置され、前面パネル２と空気清浄ユニット１８の当接面は各エアフィルタ１７，２０の押えと、移動時のガイドの役割をなす。
【００３８】
枠体組立１６の前面側に形成される空気清浄ユニット収納部６０には、２次エアフィルタを構成する左右一対の電気集塵機２２が着脱自在に取付けられるとともに、これら電気集塵機２２に電源を供給する電源部２３が取付け固定される。
【００３９】
このように、空気清浄ユニット１８を枠体組立１６の内側に装着し、その前面側に前部エアフィルタ１７を配置するようにしたため、室内機本体１の奥行き寸法をエアフィルタ清掃ユニットＳを有していない通常タイプの室内機本体とほとんど変わらない程度にコンパクトに抑えられる。
【００４０】
メンテナンスのために電気集塵機２２を室内機本体１から着脱する際は、前面パネル２を開放して前部エアフィルタ１７を上面側へ移動する、もしくは取外すことで電気集塵機２２を露出し、着脱することができ、従来とほとんど同様な操作で行なえる。
【００４１】
枠体組立１６における空気清浄ユニット収納部６０についてなお説明すると、上記電源部２３は図７に示す電源用係止枠部６１に取付けられていて、図６に示す電源カバーＫによって覆われている。さらに、左右一対の電気集塵機２２の相互間には図８に示す中継ユニットである中継枠部６２が形成されていて、図９に示すように左右一対の電気集塵機２２の対向する側部が取付けられる。また、図６に示すように左側の電気集塵機２２の左側部を係止するための係止枠部６３が形成される。
【００４２】
換言すれば、上記枠体組立１６は、図６の右側電気集塵機２２の右側部と電源部２３とを係止し、この電気集塵機２２と電源部２３とを電源接続する電源用係止枠部６１を備えている。さらに枠体組立１６は、左側電気集塵機２２の左側部を係止する係止枠部６３を備えている。
【００４３】
そして、左右両側電気集塵機２２の相互間に設けられ、これら電気集塵機２２側部を係止するとともに、互いの電気集塵機２２を電気的に接続する中継枠部６２とを具備している。そして、上記各枠部相互間に形成される通風開口６４に各電気集塵機２２を対向配置してなる。
【００４４】
図７に示す上記電源用係止枠部６１は、電源部２３を収容し、かつここでは図示しない電源カバーＫによって覆われる電源部収容スペース６５が、幅方向の過半分を占めている。残りのスペースで、図の上部側には先端が半円状に曲成される板ばねからなる集塵用端子部６６が設けられるとともに、下部側に開口が形成される掛止部からなり、この掛止部に突出する板ばね状の電極を備えた放電用端子部６７が設けられる。
【００４５】
上記電源用係止枠部６１の残りのスペースで、図の下端部には先端が半円状に曲成される板ばねからなるアース端子６８が設けられる。このアース端子６８の上部側に隣接して、凹部からなる支持突起挿入部６９が形成される。さらに、支持突起挿入部６９と所定間隔を存した図の上部側には凹部からなるアース電極収納部７０が形成される。
【００４６】
図８に示す上記中継枠部６２は、幅方向の中間部に、一部を除いて左右に仕切る仕切り部７１が設けられていて、この仕切り部７１の左右両側は同一形状構造となっている。仕切り部７１を挟んだ左右両側部において、図の上部側には先端が半円状に曲成される板ばねからなる集塵用端子部６６が設けられるとともに、下部側に開口が形成される掛止部からなり、この掛止部に突出する板ばね状の電極を備えた放電用端子部６７が設けられる。
【００４７】
上記仕切り部７１を挟んだ図の下端部には凹部からなる支持突起挿入部６９が形成され、この支持突起挿入部６９と所定間隔を存した図の上部側にアース電極収納部７０が形成される。上記中継枠部６２における上記アース電極収納部７０のみ、上記仕切り部７１が存在せず左右に連通状態する。
【００４８】
なお、左側電気集塵機２２の左側部を係止する係止枠部６３についての詳細な拡大図はないが、左側電気集塵機２２の左側部から突出する高圧電極用接続端子５０が係止される係止部と、アース電極用接続端子５２および支持突起５４が挿入する凹部が設けられている。係止枠部６３には、特に高圧電極用接続端子５０およびアース電極用接続端子５２と電気的に接続するための接続端子部は不要である。
【００４９】
つぎに、このように構成される枠体組立１６に対して電気集塵機２２を取付ける手順について説明する。このときは、枠体組立１６に形成される電源用係止枠部６１に電源部２３が取付けられ、かつ電源カバーＫによって覆われている。
【００５０】
組立てられた電気集塵機２２の上端部を枠体組立１６に対向し、かつ斜め姿勢にして上端部を枠体組立１６に接する状態で押上げる。具体的には、右側電気集塵機２２の右側部を電源用係止枠部６１に対向し、左側部を中継枠部６２に対向し、これら左右両側部を除く略全体部分を通風開口６４に対向する。右側電気集塵機２２を斜め姿勢にして上端部を各枠部に接して押上げていくと、上端部が各枠部に形成される放電用端子部６７に当接する。
【００５１】
そこで、右側電気集塵機２２全体が各枠部に密接する状態に姿勢を変えて、さらに押上げる。この電気集塵機２２の左右両側に突出する高圧電極用接続端子５０が各枠部に設けられる放電用端子部６７に挿入される。さらに押上げることで、集塵高圧電極用接続端子５１が集塵用端子部６６に係止されるとともに、高圧電極用接続端子５０が放電用端子部６７に係止される。
【００５２】
この状態で電気集塵機２２の左右両側部から突出するアース電極用接続端子５２を各枠部に設けられるアース電極収納部７０に押し込み、支持突起５４を支持突起挿入部６９に押し込めばよい。この電気集塵機２２は通風開口６４と対向して取付けられ、同時に電源部２３とは高圧電極用接続端子５０と放電用端子部６７を介して電気的に接続され、集塵高圧電極用接続端子５１と集塵用端子部６６を介して電気的に接続される。
【００５３】
さらに、電気集塵機２２のアース電極用接続端子５２はアース電極収納部７０に挿入されるのみで電気的な接続はないが、電気集塵機２２においてアース電極用接続端子５２と一体のアース用端子５３が電源用係止枠部６１に設けられるアース端子６８に接触するので、アース側においても電気的な接続がなされることになる。
【００５４】
また、電気集塵機２２と中継枠部６２との関係は、高圧電極用接続端子５０と放電用端子部６７が電気的に接続され、集塵高圧電極用接続端子５１と集塵用端子部６６が電気的に接続される。アース電極用接続端子５２はアース電極収納部７０に挿入されるのみで、電気的な接続はない。
【００５５】
ついで、左側電気集塵機２２の右側部を中継枠部６２に対向し、左側部を係止枠部６３に対向し、これら左右両側部を除く略全体部分を通風開口６４に対向する。左側電気集塵機２２を斜め姿勢にして上端部を各枠部に接して押上げていくと、上端部が中継枠部６２の放電用端子部６７に当接する。
【００５６】
そこで、左側電気集塵機２２全体が各枠部に密接する状態に姿勢を変えて、さらに押上げる。この電気集塵機２２の左右両側に突出する高圧電極用接続端子５０が中継枠部６２の放電用端子部６７に挿入され、係止枠部６３の係止部に係止される。
【００５７】
さらに押上げることで、電気集塵機２２の右側部の集塵高圧電極用接続端子５１が中継枠部６２の集塵用端子部６６に接触し、高圧電極用接続端子５０が中継枠部６２の放電用端子部６７に係止される。電気集塵機２２の左側部の高圧電極用接続端子５０は係止枠部６３の係止部に係止され、アース電極用接続端子５２と支持突起５４は係止枠部６３の凹部に挿入される。
【００５８】
この電気集塵機２２は枠体組立１６の通風開口６４と対向する部位に取付けられることになり、中継枠部６２とは高圧電極用接続端子５０と放電用端子部６７を介して電気的に接続され、集塵高圧電極用接続端子５１と集塵用端子部６６を介して電気的に接続される。
【００５９】
そして、中継枠部６２の放電用端子部６７と集塵用端子部６６は既に右側電気集塵機２２と電気的に接続されるから、左右の電気集塵機２２の高圧電極用接続端子５０と集塵高圧電極用接続端子５１は互いに電気的に接続され、さらに電源部の放電用端子部６７と集塵用端子部６６とも電気的に接続される。
【００６０】
また、左右両側の電気集塵機２２におけるアース電極用接続端子５２は中継枠部６２のアース電極収納部７０に挿入され、先端端子部ａ相互は互いに接触して電気的な接続がなされる。既に、右側電気集塵機２２を取付けた状態で、このアース用端子５３がアース端子６８に電気的に接続されているので、左右の電気集塵機２２と電源部２３とのアース側における電気的な接続がされる。
【００６１】
図９は左右の電気集塵機２２を枠体組立１６の所定部位に取付けた状態で、中継枠部６２を中心にして左右の電気集塵機２２の一部を示す斜視図である。  
左右の電気集塵機２２におけるアース電極用接続端子５２相互は中継枠部６２のアース電極収納部７０に挿入され、先端端子部ａ相互は互いに接触して電気的に接続され、この状態が露出する。同様に、左右の電気集塵機２２の支持突起５４が中継枠部６２の支持突起挿入部６９に挿入され、仕切り部７１を介して互いに対向し、この状態が露出する。
【００６２】
その一方で、左右の電気集塵機２２の高圧電極用接続端子５０が中継枠部６２の放電用端子部６７に電気的に接続される部位と、集塵高圧電極用接続端子５１が中継枠部６２の集塵用端子部６６に電気的に接続される部位の前面には端子カバー８０が取付けられていて、各端子は前面側から完全に遮蔽される。
【００６３】
このようにして構成される空気調和機の室内機であり、運転開始の信号が入って室内空気が室内機本体１内に吸込まれると、前部エアフィルタ１７と上部エアフィルタ２０を通過して、ほとんどの塵挨が捕捉される。前部エアフィルタ１７を通過した室内空気は熱交換器８に到達する以前に空気清浄ユニット１８に導かれる。
【００６４】
空気清浄ユニット１８において、室内空気の気流はワイヤガード３０の流入口４４から高圧側電極部４１へ導かれる。高圧側電極部４１を構成するイオン化線である放電高圧電極３１には正の電位が与えられ、荷電側アース電極３３にはアース電位が与えられていて、これらの間にコロナ放電空間が形成される。このコロナ放電空間を室内空気が通過し、室内空気に含まれる浮遊塵埃の粒子はプラスに荷電されて、アース側電極部４２に導かれる。
【００６５】
上記アース側電極部４２を構成する集塵側アース電極３４は、上記荷電側アース電極３３と一体に連結されているところからアース電位が与えられる一方で、集塵高圧電極３６には正の電位が与えられる。したがって、集塵側アース電極３４と集塵高圧電極３６との間には電位差に起因する電界が発生しており、プラスに荷電された浮遊塵埃の粒子は電界の作用にともなう静電力によって集塵高圧電極３６に吸引され捕捉される。
【００６６】
ロアーフレーム３８の流出口４５からは、浮遊塵埃が除去されたクリーンな室内空気が流出される。その直後にクリーン化した室内空気は熱交換器８に導かれて、ここに流通する冷媒と熱交換をなし、所望の熱交換作用が行われる。  
このように、左右の電気集塵機２２を接続する中継枠部６２の上部に、高圧電極用接続端子５０と、集塵高圧電極用接続端子５１が取付けられて、前面を端子カバー８０で覆っており、下部側にはアース電極用接続端子５２が露出している。
【００６７】
したがって、使用者が高圧電極である高圧電極用接続端子５０と集塵高圧電極用接続端子５１を手で触れることのないように保護する。さらに、端子カバー８０は、各接続端子５０，５１を室内空気の流れから遮断しているので、端子カバー８０は室内空気に含まれる細菌、煙、もしくは塵挨等により接点が汚れることを防止できる。
【００６８】
なお、中継枠部６２の下側部分にはカバー類が存在しないために、前面側に対して露出している。そのため室内空気に含まれる塵挨等により、汚れたり、腐食する原因になる。しかしながら 、この部分には中継用の接点を形成しないため、長期間の使用において接点の表面が汚れることで、接触不良、漏電などの発生の原因を無くすことができる。
【００６９】
各電気集塵機２２を中継枠部６２に挿入係止するのに、アース電極用接続端子５２を直接連結させることで接続ができ、また電気集塵機２２が汚れた場合には、取外せば接点も清掃することができるため、接点不良により発生する異常放電発生を未然に防止できる。また、中継枠部６２におけるアース側電極（低電位側電極）の接続端子を不要とすることで、接点部品の削減が図れて信頼性が向上する。
【００７０】
枠体組立１６の内側に形成する通風開口６４に電気集塵機２２を取付けたため、電気集塵機２２を突出せずに室内機本体１内に収納できる。空気清浄ユニット１８の前面に配置される一次エアフィルタである前部エアフィルタ１７を枠体組立１６の表面に配置でき、前部エアフィルタ１７の取出しや移動がスムーズとなる。空気清浄ユニット１８が枠体組立１６に囲まれることで、空気の流れが空気清浄ユニット１８を確実に通過させ、空気清浄効果を高める。
【００７１】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７２】
【図１】本発明における一実施の形態に係る、空気調和機室内機の概略断面図。
【図２】同実施の形態に係る、室内機本体の前面パネルを取外した正面図。
【図３】同実施の形態に係る、電気集塵機の構成部品を分解した斜視図。
【図４】同実施の形態に係る、電気集塵機のワイヤガードを取外した正面図。
【図５】同実施の形態に係る、組立てられた電気集塵機の正面図。
【図６】同実施の形態に係る、枠体組立と一部構成部品の斜視図。
【図７】同実施の形態に係る、電源用係止枠部の斜視図。
【図８】同実施の形態に係る、中継枠部の斜視図。
【図９】同実施の形態に係る、電気集塵機を取付けた状態の中継枠部の斜視図。
【符号の説明】
【００７３】
３１…放電高圧電極、３３…荷電側アース電極、４１…高圧側電極部、３６…集塵高圧電極、３４…集塵側アース電極、４２…アース側電極部、２２…電気集塵機、２３…電源部、１８…空気清浄ユニット、５０…高圧電極用接続端子、５１…集塵高圧電極用接続端子、５２…アース電極用接続端子、６７…放電用端子部、６６…集塵用端子部、６２…中継枠部（中継ユニット）、８０…端子カバー、８…熱交換器、１０…送風機、４…前面吸込み口、６４…通風開口、１６…枠体組立、６１…電源用係止枠部、６３…係止枠部。
【図１】
2007167799.tif 000003
【図２】
2007167799.tif 000004
【図３】
2007167799.tif 000005
【図４】
2007167799.tif 000006
【図５】
2007167799.tif 000007
【図６】
2007167799.tif 000008
【図７】
2007167799.tif 000009
【図８】
2007167799.tif 000010
【図９】
2007167799.tif 000011